(57)【要約】【課題】カフを交換可能でありかつ、防水機能を有する血圧測定装置を提供すること。【解決手段】血圧測定装置１は、カーラ５と、カーラ５の内面に配置されたカフ構造体６と、筒状の外郭ケース３１、及び外郭ケース３１の生体側の端部及びカーラ５に固定され、カーラ５に対向する一部が開口し、カーラ５とともに外郭ケース３１の生体側の端部を覆う裏カバー３５を備えるケース１１と、ケース１１内に収容される基部３３と、裏カバー３５及びカーラ５の間に設けられ、裏カバー３５及びカーラの５間を密閉する第１シール部材３６と、外郭ケース３１の内周面３１ｄ及び基部３３の間に設けられ、内周面３１ｄ及び基部３３の間を密閉する環状に構成された、第１シール部材３６より密閉性が高い第２シール部材３７と、を備える。【選択図】      図２
2020103646.tif 000002
【特許請求の範囲】
【請求項１】
生体に取り付けられる血圧測定装置であって、
カーラと、
前記カーラの内面に配置されたカフと、
筒状の外郭ケース、及び前記外郭ケースの生体側の端部及び前記カーラに固定され、前記カーラに対向する一部が開口し、前記カーラとともに前記外郭ケースの生体側の端部を覆う裏カバーを備えるケースと、
前記ケース内に収容される基部と、
前記裏カバー及び前記カーラの間に設けられ、前記裏カバー及び前記カーラの間を密閉する第１シール部材と、
前記外郭ケースの内周面、及び前記基部の間に設けられ、前記内周面及び前記基部の間、並びに、前記裏カバー及び前記基部間をシールする環状に構成された、前記第１シール部材より密閉性が高い第２シール部材と、
を備える血圧測定装置。
【請求項２】
前記外郭ケースは第１当接部を有し、
前記基部は、前記第１当接部に前記外郭ケースの軸方向で当接する第２当接部を有する、
請求項１に記載の血圧測定装置。
【請求項３】
前記第１シール部材は、両面テープから構成される、請求項１に記載の血圧測定装置。
【請求項４】
前記第２シール部材は、前記基部と一体に形成される、請求項１に記載の血圧測定装置。
【請求項５】
前記第２シール部材の変形前の状態で、前記第２シール部材の外周面の前記外郭ケースの軸方向で中途部が、他部に比較して大径に形成される、請求項１に記載の血圧測定装置。
【請求項６】
前記基部の外周面は、前記外郭ケースの内周面に向かって突出し、前記第２シール部材内に配置される環状の凸部を有する、請求項１に記載の血圧測定装置。
【請求項７】
前記第２シール部材の前記生体側の端面の径方向の中途部が、前記裏カバーが前記ケースの固定される前の状態で前記外郭ケースの前記生体側の一端よりも前記生体側に突出する、請求項１に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、生体の上腕又は手首等に巻き付けたカフを膨張及び収縮させ、圧力センサによりカフの圧力を検出することで、動脈壁の振動を検出して血圧を測定する。
【０００３】
また、血圧測定装置として、例えば、カフとカフに流体を供給する装置本体とが一体に構成された所謂一体型と呼ばれるものが知られている。また、一体型の血圧測定装置として、ベルトの内側にカフを配置し、装置本体内に配置されたポンプからカフにつながる流路を有する血圧測定装置が知られている（例えば、特許文献１及び特許文献２参照）。
【０００４】
また、膨張したカフを手首に密着させるために、ベルトとカフの間にカーラを用いる技術が知られている。このような血圧測定装置は、ベルト及びカーラによってカフを手首に密着させた後にカフを膨張させることで、カフの膨張時に、好適に血管を圧閉させる。
【先行技術文献】
【特許文献】
【０００５】
【特許文献１】実開平０６−０１１７０１号公報
【特許文献２】実解昭６３−２００１４４号公報
【発明の概要】
【発明が解決しようとする課題】
【０００６】
上述した血圧測定装置は、カフの故障時やメンテナンス時に、カフを取り外し可能とする構成が求められる。さらに、昨今では、血圧測定装置は、手首に装着するウェアラブルデバイスも考えられており、防水機能も求められる。
【０００７】
そこで本発明は、カフを交換可能であり、かつ、防水機能を有する血圧測定装置を提供することを目的とする。
【課題を解決するための手段】
【０００８】
一態様によれば、生体に取り付けられる血圧測定装置であって、カーラと、前記カーラの内面に配置されたカフと、筒状の外郭ケース、及び前記外郭ケースの生体側の端部及び前記カーラに固定され、前記カーラに対向する一部が開口し、前記カーラとともに前記外郭ケースの生体側の端部を覆う裏カバーを備えるケースと、前記ケース内に収容される基部と、前記裏カバー及び前記カーラの間に設けられ、前記裏カバー及び前記カーラの間を密閉する第１シール部材と、前記外郭ケースの内周面、及び前記基部の間に設けられ、前記内周面及び前記基部の間、並びに、前記裏カバー及び前記基部間をシールする環状に構成された、前記第１シール部材より密閉性が高い第２シール部材と、を備える血圧測定装置が提供される。
【０００９】
ここで、生体とは、例えば、手首である。
【００１０】
この態様によれば、第１シール部材及び第２シール部材を有する構成であることで、高い密閉性を持たせることが可能となる。さらに、ケース内への防水構造として、第１シール部材及び第２シール部材を有する２段構造とすることで、第１シール部材及び第２シール部材を合わせた密閉性が血圧測定装置に求められる密閉性を満たせばよいので、第１シール部材及び第２シール部材のそれぞれの密閉性を高くしなくてもよい。この為、第１シール部材及び第２シール部材を、例えば複雑な機構を有するシールにすることがない。結果、カーラを裏蓋から取り外すことが可能なることで、カフを交換することが可能となる。さらに、メンテナンスやカフの交換等によりカーラを裏カバーから取り外すことで第１シール部材の交換が必要となっても、その交換に係るコストを低く抑えることが可能となる。
【００１１】
上記一態様の血圧測定装置において、前記外郭ケースは第１当接部を有し、前記基部は、前記第１当接部に前記外郭ケースの軸方向で当接する第２当接部を有する、を備える血圧測定装置が提供される。
【００１２】
この態様によれば、外郭ケース及び基部の位置ずれを抑制できる。
【００１３】
上記一態様の血圧測定装置において、前記第１シール部材は、両面テープから構成される、血圧測定装置が提供される。
【００１４】
この態様によれば、第１シール部材を簡単な構成にできる。さらに、第１シール部材自体もカーラを裏カバーに固定することで、カーラ及び裏カバーの固定を強固にすることが可能となる。さらに、第１シール部材の交換作業を簡単にし、かつ、第１シール部材の交換に伴うコストを低く抑えることが可能となる。
【００１５】
上記一態様の血圧測定装置において、前記第２シール部材は前記基部と一体に形成される、血圧測定装置が提供される。
【００１６】
この態様によれば、基部から第２シール部材が脱落することを抑制できる。
【００１７】
上記一態様の血圧測定装置において、前記第２シール部材の変形前の状態で、前記第２シール部材の外周面の前記外郭ケースの軸方向で中途部が、他部に比較して大径に形成される、血圧測定装置が提供される。
【００１８】
この態様によれば、第２シール部材及び外郭ケース３１の内周面の密閉性を向上できる。
【００１９】
上記一態様の血圧測定装置において、前記基部の外周面は、前記外郭ケースの内周面に向かって突出し、前記第２シール部材内に配置される環状の凸部を有する、血圧測定装置が提供される。
【００２０】
この態様によれば、第２シール部材３７が基部３３から脱落することをより一層抑制できる。
【００２１】
上記一態様の血圧測定装置において、前記第２シール部材の前記生体側の端面の径方向の中途部が、前記裏カバーが前記ケースの固定される前の状態で前記外郭ケースの前記生体側の一端よりも前記生体側に突出する、血圧測定装置が提供される。
【００２２】
この態様によれば、第２シール部材の生体側の端面が裏カバーにより押圧されることで第２シール部材が変形する。結果、第２シール部材の外郭ケースの内周面へ押圧力が増大することで、第２シール部材及び外郭ケースの内周面の密閉性をより一層向上できる。さらに、端面の中途部が突出する形状であることから、第２シール部材が変形しても、第２シール部材が外郭ケース及び裏カバー間に噛みこまれることを抑制できる。
【発明の効果】
【００２３】
本発明は、カフを交換可能であり、かつ、防水機能を有する血圧測定装置を提供することが可能となる。
【図面の簡単な説明】
【００２４】
【図１】本発明の第１の実施形態に係る血圧測定装置の構成を示す斜視図。
【図２】同血圧測定装置の構成を分解して示す斜視図。
【図３】同血圧測定装置の構成を分解して示す斜視図。
【図４】同血圧測定装置の構成を示す側面図。
【図５】同血圧測定装置を手首に装着した状態を示す説明図。
【図６】同血圧測定装置の構成を示すブロック図。
【図７】同血圧測定装置の構成を示す斜視図。
【図８】同血圧測定装置の構成を示す斜視図。
【図９】同血圧測定装置の構成を示す分解して示す斜視図。
【図１０】同血圧測定装置の構成を示す分解して示す斜視図。
【図１１】同血圧測定装置の基部及び第１シールの構成を示す斜視図。
【図１２】同血圧測定装置の第１シール及びその近傍の構成を示す断面図。
【図１３】同血圧測定装置の第１シールの構成を示す平面図。
【図１４】同血圧測定装置のカーラ及びカフ構造体の構成を分解して示す斜視図。
【図１５】同血圧測定装置のカーラ及びカフ構造体の構成を示す断面図。
【図１６】同血圧測定装置のカーラ及びカフ構造体の構成を示す断面図。
【図１７】同血圧測定装置の引張カフの構成を示す断面図。
【図１８】同血圧測定装置の引張カフの構成を示す断面図。
【図１９】同血圧測定装置のカーラの構成を示す斜視図。
【図２０】同血圧測定装置のカフ構造体の構成を示す平面図。
【図２１】同カフ構造体の構成を示す平面図。
【図２２】同血圧測定装置の押圧カフの構成を示す平面図。
【図２３】同押圧カフの構成を示す断面図。
【図２４】同血圧測定装置のセンシングカフの構成を示す平面図。
【図２５】同センシングカフの構成を示す断面図。
【図２６】同血圧測定装置の製造方法の一例を示す流れ図。
【図２７】同血圧測定装置の使用の一例を示す流れ図。
【図２８】同血圧測定装置を手首に装着する一例を示す斜視図。
【図２９】同血圧測定装置を手首に装着する一例を示す斜視図。
【図３０】同血圧測定装置を手首に装着する一例を示す斜視図。
【図３１】同血圧測定装置が生体に取り付けられた状態を模式的に示す断面図。
【図３２】同血圧測定装置の変形例の第１シール及びその近傍の構成を示す断面図。
【発明を実施するための形態】
【００２５】
以下、本発明の第１の実施形態に係る血圧測定装置１の一例について、図１乃至図３２を用いて以下例示する。
【００２６】
図１は、本発明の第１の実施形態に係る血圧測定装置１の構成を示す斜視図である。図２は、血圧測定装置１の構成を分解して示す斜視図である。図３は、血圧測定装置１の構成を分解して示す斜視図であり、血圧測定装置１を図２とは異なる角度から見た斜視図である。
【００２７】
図４は、血圧測定装置１の構成を示す側面図である。図５は、血圧測定装置１を手首２００に装着した状態を示す説明図である。図６は、血圧測定装置１の構成を示すブロック図である。図７は、血圧測定装置１の一部の構成を省略して示す斜視図である。図８は、血圧測定装置１の構成の一部を省略して示す斜視図である。図９は、血圧測定装置１の一部の構成を省略して示す分解斜視図である。
【００２８】
図１０は、血圧測定装置１の一部の構成を省略して示す斜視図である。図１０は、血圧測定装置１の一部の構成を省略して示す分解斜視図である。図１１は、血圧測定装置１の基部３３及び第１シール部材３６の構成を示す斜視図である。図１２は、血圧測定装置１の第１シール部材３６及びその近傍の構成を示す断面図であり、具体的には図５中ＸＩＩＩ−ＸＩＩＩ線断面で示す断面図である。図１３は、血圧測定装置１の第１シール部材３６の構成を風防３２側から見た状態を示す平面図である。
【００２９】
図１４は、血圧測定装置１のカーラ５及びカフ構造体６の構成を示す分解して示す斜視図である。図１５は、血圧測定装置１のカーラ５及びカフ構造体６の構成を示す断面図である。図１６は、血圧測定装置１のカーラ５及びカフ構造体６の構成を示す断面図である。図１７は、血圧測定装置１の引張カフ７４の構成を示す断面図である。図１８は、血圧測定装置１の引張カフ７４の構成を示す断面図である。図１９は、血圧測定装置１のカーラ５の構成を示す斜視図である。図２０は、血圧測定装置１のカフ構造体６の手首２００側の構成を示す平面図である。図２１は、カフ構造体６のカーラ５の内周面側の構成を示す平面図である。
【００３０】
図２２は、血圧測定装置１の押圧カフ７１の構成を示す平面図である。図２３は、押圧カフ７１の構成を図２２中ＸＶＩＶ−ＸＶＩＶ線断面で示す断面図である。図２４は、血圧測定装置１のセンシングカフ７３の構成を示す平面図である。図２５は、血圧測定装置１のセンシングカフ７３の構成を図２４中ＸＸＶＩＩ−ＸＸＶＩＩ線断面で示す断面図である。
【００３１】
図２６は、血圧測定装置１の製造方法の一例を示す流れ図である。図２７は、血圧測定装置１の使用の一例を示す流れ図である。図２８は、血圧測定装置１を手首２００に装着する一例を示す斜視図である。図２９は、血圧測定装置１を手首２００に装着する一例を示す斜視図である。図３０は、血圧測定装置１を手首２００に装着する一例を示す斜視図である。図３１は、血圧測定装置１が手首２００に取り付けられた状態を模式的に示す断面図である。図３２は、血圧測定装置１の変形例の第１シール部材３６及びその近傍の構成を示す断面図である。
【００３２】
血圧測定装置１は、生体に装着する電子血圧測定装置である。本実施形態においては、生体の手首２００に装着するウェアラブルデバイスの態様をもつ電子血圧測定装置を用いて説明する。
【００３３】
図１乃至図９示すように、血圧測定装置１は、装置本体３と、手首に装置本体３を固定するベルト４と、ベルト４及び手首の間に配置されるカーラ５と、押圧カフ７１、センシングカフ７３及び引張カフ７４を有するカフ構造体６と、装置本体３及びカフ構造体６を流体的に接続する流体回路７と、カーラ５に設けられた給電部８と、を備えている。
【００３４】
図１乃至図９示すように、装置本体３は、例えば、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、カフ構造体６に流体を供給する。
【００３５】
図１乃至図４に示すように、ケース１１は、外郭ケース３１と、外郭ケース３１の手首２００側とは反対側（外方側）の開口を覆う風防３２と、外郭ケース３１の内部の手首２００側に設けられた基部３３と、外郭ケース３１の手首２００側を覆う裏カバー３５と、裏カバー３５の下面に設けられる第１シール部材３６と、基部３３に設けられる第２シール部材３７と、を備えている。
【００３６】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。また、外郭ケース３１は、図９示すように、例えば、手首２００側の面（裏面）であって、且つ、外周面の周方向で対称位置にそれぞれ設けられた一対のラグ３１ａの付け根の４箇所に螺子孔３１ｃを有する。風防３２は、例えば、円形状のガラス板である。
【００３７】
外郭ケース３１は、具体的には、一方の一対のラグ３１ａ間、及び他方の一対のラグ３１ａ間は、平板状に構成され、一方の一対のラグ３１ａと他方の一対のラグ３１ａとの間の部分は、円弧状の湾曲した板状に構成される。
【００３８】
また、外郭ケース３１は、図８に示すように、一方の一対のラグ３１ａ間、及び他方の一対のラグ３１ａ間に、それぞれ、孔３１ｇが形成される。孔３１ｇは、外郭ケース３１の内部及び外部を連通する。孔３１ｇの外郭ケース３１の内周面に配置される開口端には、フィルタが設けられる。フィルタは、空気を通して、水の通過を規制する機能を有する。ここで言う規制とは、水の通過量を制限することを意味する。フィルタは、水の通過を防止する性能を有することが好ましい。
【００３９】
また、外郭ケース３１の内周面３１ｄの手首２００側の端部には、図１２に示すように、シール溝３１ｅが形成される。シール溝３１ｅは、内周面３１ｄの手首２００側の一端から、当該一端及び外郭ケース３１の軸方向Ｄで風防３２側の他端の中途部までの領域が、当該所定領域に対して風防３２側に隣接する領域に比較して、外郭ケース３１の中心線からの距離が長く形成されることで構成される。
【００４０】
シール溝３１ｅは、例えば断面矩形状に構成される。シール溝３１ｅの、外郭ケース３１の軸方向Ｄの端面３１ｅ１は、基部３３が当接することで基部３３の外郭ケース３１内の移動を規制する当接部である。端面３１ｅ１は、例えば外郭ケース３１の軸方向Ｄに直交する平面に構成される。
【００４１】
基部３３は、表示部１２、操作部１３、ポンプ１４、開閉弁１６、圧力センサ１７、電力供給部１８、振動モータ１９及び制御基板２０を保持する。また、基部３３は、例えば、ポンプ１４及びカフ構造体６を流体的に連続する流路部１５の一部を構成する。基部３３の平面形状は、外郭ケース３１の開口と略同形状に構成される。
【００４２】
基部３３の外周面３３ａには、図１２に示すように、外郭ケース３１のシール溝３１ｅ内に配置され、シール溝３１ｅの内周面３１ｅ２に向かって突出する第１凸部３３ｂが環状に形成される。第１凸部３３ｂは、その風防３２側の端面３３ｃの少なくとも一部が、外郭ケース３１のシール溝３１ｅの端面３１ｅ１に当接可能に構成される。例えば、端面３３ｃの外縁部が端面３１ｅ１に当接する。端面３３ｃは、平面状に構成される。
【００４３】
第１凸部３３ｂの外周面には、シール溝３１ｅの内周面３１ｅ２に向かって突出する環状の第２凸部３３ｄが形成される。第２凸部３３ｄは、例えば、第１凸部３３ｂの外周面の、風防３２側の一端及び手首２００側の一端間の中途部に配置される。第２凸部３３ｄの断面形状は、一例として、矩形状に構成される。
【００４４】
裏カバー３５は、図２及び図３に示すように、中央側が開口する環状に構成される。裏カバー３５は、外郭ケース３１の手首２００側の端部の外周縁側を覆う。このような裏カバー３５は、カーラ５と一体に組み合わされることで、中央の開口がカーラ５により覆われ、そしてカーラ５とともに外郭ケース３１の手首２００側の端部を覆う裏蓋を構成する。具体的には、裏カバー３５は、４つの第１締結部材３５ａによってカーラ５に固定されるとともに、４つの第２締結部材３５ｂによって外郭ケース３１の手首２００側の端部に固定される。裏カバー３５は、底部に設けられ、カーラ５に固定される第１締結部材３５ａを挿通する４つの孔部３５ｃと、外周部の４箇所が径方向に突出し、この突出した部位に設けられた外郭ケース３１に固定される第２締結部材３５ｂを挿通する４つの孔部３５ｄと、を有する。裏カバー３５は、カーラ５と当接する面が、平面状に構成される。
【００４５】
また、裏カバー３５の風防３２側の面３５ｅの外周の縁部３５ｆは、図１２に示すように、外郭ケース３１の手首２００側の端面３１ｆ、及び基部３３の第１凸部３３ｂの手首２００側の面に当接可能に構成される。
【００４６】
本実施形態では、外郭ケース３１の手首２００側の端面３１ｆ、及び基部３３の第１凸部３３ｂの手首２００側の端面３３ｅは、基部３３の第１凸部３３ｂの端面３３ｃが、外郭ケース３１の端面３１ｅ１に当接した状態で、同一平面上に配置される。縁部３５ｆは、平面状に構成される。
【００４７】
第１締結部材３５ａ及び第２締結部材３５ｂは、螺子、ボルト、ビス、リベット等の二つの部品を機械的に固定する部材である。本実施形態において、第１締結部材３５ａ及び第２締結部材３５ｂは、螺子である。
【００４８】
図２及び図９示すように、４つの第１締結部材３５ａは、カーラ５の後述するカバー部５ａの４箇所に設けられた螺子孔５ｅに螺合する。４つの第２締結部材３５ｂは、外郭ケース３１に４箇所に設けられた螺子孔３１ｃに螺合する。
【００４９】
図２及ぶ図１０に示すように、４つの孔部３５ｃは、裏カバー３５の底面に設けられ、カーラ５の後述するカバー部５ａに対向する位置に設けられる。４つの孔部３５ｃは、例えば、カーラ５の延設方向の間隔が、カーラ５の延設方向に直交する方向の間隔よりも小さく設定される。
【００５０】
図２及び図９示すように、４つの孔部３５ｄは、裏カバー３５の外周部であって、外郭ケース３１の手首２００側の面（裏面）に設けられた、外周面の周方向で対称位置にそれぞれ設けられた一対のラグ３１ａの付け根の４箇所に対向する突起に設けられる。４つの孔部３５ｄは、外郭ケース３１と裏カバー３５を一体に組み合わせたときに、外郭ケース３１の螺子孔３１ｃと対向する。
【００５１】
第１シール部材３６は、図２、図３、図８、及び図１０に示すように、裏カバー３５のカーラ５と接触する領域の形状に形成された、例えば両面テープである。第１シール部材３６は、裏カバー３５の開口を内側に配置する環状に構成される。第１シール部材３６は、カーラ５及び裏カバー３５の互いに当接する当接面間に存することで、カーラ５及び裏カバー３５間をシールする。
【００５２】
第２シール部材３７は、図２、図３、図１１乃至図１４に示すように、基部３３の第１凸部３３ｂの外周面に固定される。第２シール部材３７は、環状に構成される。第２シール部材３７は、樹脂材料で形成される。第２シール部材３７は、基部３３に一体に形成される。第２シール部材３７は、例えば、インサート成形される。第２シール部材３７は、外郭ケース３１の内周面３１ｄ、及び基部３３間、並びに、裏カバー３５及び基部３３間をシールする。
【００５３】
第２シール部材３７は、具体的には、基部３３及び第２シール部材３７の一体物を外郭ケース３１内に挿入する過程でシール溝３１ｅの内周面３１ｅ２に当接することで外郭ケース３１の中心側に押圧されて変形して内周面３１ｅ２に密着する形状に構成される。さらに、第２シール部材３７は、裏カバー３５に外郭ケース３１の軸方向Ｄに密着する形状に構成される。さらに、第２シール部材３７は、裏カバー３５により外郭ケース３１の軸方向Ｄに押圧されて外郭ケース３１及び裏カバー３５間で圧縮されることで外郭ケース３１の内周面３１ｄによりする形状に構成される。
【００５４】
第２シール部材３７は、このように外郭ケース３１の内周面、及び裏カバー３５に密着することで、第１シール部材３６より高い密閉性を有する。
【００５５】
図１２に２点鎖線で示すように基部３３及び第２シール部材３７の一体物が外郭ケース３１から分離された状態、すなわち変形する前の状態の第２シール部材３７では、外郭ケース３１の軸方向Ｄに直交する方向で外郭ケース３１の中心から第２シール部材３７の最外縁までの距離Ｌ１は、外郭ケース３１の軸方向Ｄに直交する方向で外郭ケース３１の中心から外郭ケース３１のシール溝３１ｅの内周面３１ｅ２までの距離Ｌ２よりも長い。
【００５６】
そして、２点鎖線で示すように、変形する前の状態の第２シール部材３７の外周面３７ａの、風防３２側の一端及び裏カバー３５側の一端間の中途部３７ｂが、外郭ケース３１の軸方向Ｄに直交する方向で最も突出する最外縁となる。そして、外周面３７ａの風防３２側の一端から中途部３７ｂまでの領域３７ｃは、当該一端から中途部まで径が漸次拡径する面に構成される。さらに、第２シール部材３７が外郭ケース３１内に収容される前の状態で、外周面３７ａの風防３２側の一端は、シール溝３１ｅの手首２００側の開口端よりも小径に構成される。
【００５７】
第２シール部材３７の風防３２側の端面３７ｄは、第１凸部３３ｂの端面３３ｃと同一平面に構成される。また、第２シール部材３７の、裏カバー３５側の端面３７ｅの径方向の中途部が、裏カバー３５が外郭ケース３１に固定される前の状態で、基部３３の第１凸部３３ｂの裏カバー３５側の端面３３ｃ及び外郭ケース３１の手首２００側の端面３１ｆよりも裏カバー３５側に突出する凸状に構成される。端面３７ｅは、例えば、裏カバー３５側に漸次幅が狭くなる形状に構成される。
【００５８】
表示部１２は、外郭ケース３１の基部３３上であって、且つ、風防３２の直下に配置される。図６に示すように、表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００５９】
操作部１３は、使用者からの指令を入力可能に構成される。例えば、操作部１３は、図１及び図６に示すように、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００６０】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００６１】
ポンプ１４は、例えば圧電ポンプである。ポンプ１４は、空気を圧縮し、流路部１５を介して圧縮空気をカフ構造体６に供給する。ポンプ１４は、電気的に制御基板２０に接続される。
【００６２】
流路部１５は、図６に示すように、ポンプ１４から押圧カフ７１及び引張カフ７４へつながる流路、及び、ポンプ１４からセンシングカフ７３へつながる流路を構成する。また、流路部１５は、押圧カフ７１及び引張カフ７４から大気へつながる流路、及び、センシングカフ７３から大気へつながる流路を構成する。流路部１５は、基部３３等に設けられた中空部、溝、流路タンク及びチューブ等により構成された空気の流路である。
【００６３】
開閉弁１６は、流路部１５の一部を開閉する。開閉弁１６は、複数、具体例として、図６に示すように、４つ設けられ、各開閉弁１６の開閉の組み合わせによりポンプ１４から押圧カフ７１及び引張カフ７４へつながる流路、ポンプ１４からセンシングカフ７３へつながる流路、押圧カフ７１及び引張カフ７４から大気へつながる流路、及び、センシングカフ７３から大気へつながる流路を選択的に開閉する。具体例として、４つの開閉弁１６は、第１開閉弁１６Ａ、第２開閉弁１６Ｂ、第３開閉弁１６Ｃ及び第４開閉弁１６Ｄにより構成される。第１開閉弁１６Ａは、ポンプ１４とセンシングカフ７３とを接続する流路を開閉する。第２開閉弁１６Ｂは、ポンプ１４と引張カフ７４とを接続する流路を開閉する。第２開閉弁１６Ｂ及び第３開閉弁１６Ｃは、ポンプ１４と押圧カフ７１とを接続する流路を開閉する。第２開閉弁１６Ｂ、第３開閉弁１６Ｃ及び第４開閉弁１６Ｄは、ポンプ１４及び大気を接続する流路を開閉する。
【００６４】
圧力センサ１７は、少なくともセンシングカフ７３の圧力を検出する。圧力センサ１７は、例えば、第１圧力センサ１７Ａ及び第２圧力センサ１７Ｂを備える。圧力センサ１７は、検出した圧力を電気信号に変換し、制御基板２０へ出力する。例えば、第１圧力センサ１７Ａ及び第２圧力センサ１７Ｂは、流路部１５の第１圧力センサ１７Ａ及びセンシングカフ７３を接続する流路に設けられる。この流路は押圧カフ７１、センシングカフ７３及び引張カフ７４とポンプ１４とが、各開閉弁の開閉によって連続することから、これら流路内の圧力がポンプ１４のつながる押圧カフ７１、センシングカフ７３及び引張カフ７４の内部空間の圧力となる。
【００６５】
具体例として圧力センサ１７は、第１開閉弁１６Ａが開であり、そして、第２開閉弁１６Ｂを閉であるときにセンシングカフ７３の圧力、換言すると、ポンプ１４及びセンシングカフ７３を接続する流路部１５の圧力を検出する。また、圧力センサ１７は、第１開閉弁１６Ａ及び第２開閉弁１６Ｂが開であり、そして、第３開閉弁１６Ｃが閉であるときに、センシングカフ７３及び引張カフ７４の圧力、換言すると、ポンプ１４、センシングカフ７３及び引張カフ７４を接続する流路部１５の圧力を検出する。さらに、圧力センサ１７は、第１開閉弁１６Ａ、第２開閉弁１６Ｂ及び第３開閉弁１６Ｃが開であり、そして、第４開閉弁１６Ｄが開又は閉であるときに、押圧カフ７１、センシングカフ７３及び引張カフ７４の圧力、換言すると、ポンプ１４、押圧カフ７１、センシングカフ７３及び引張カフ７４を接続する流路部１５の圧力を検出する。
【００６６】
電力供給部１８は、例えば、リチウムイオンバッテリ等の二次電池である。電力供給部１８は、図６に示すように、制御基板２０に電気的に接続される。電力供給部１８は、制御基板２０に電力を供給する。
【００６７】
図６に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００６８】
基板５１は、ケース１１の基部３３にビス等によって固定される。
【００６９】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００７０】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００７１】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００７２】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００７３】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００７４】
例えば、制御部５５は、図６に示すように、血圧測定装置１全体の動作を制御するメインＣＰＵ（Central Processing Unit）５６及び流体回路７の動作を制御するサブＣＰＵ５７を有する。例えば、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００７５】
例えば、サブＣＰＵ５７は、操作部１３から血圧を測定する指令が入力されると、ポンプ１４及び開閉弁１６を駆動して押圧カフ７１及びセンシングカフ７３に圧縮空気を送る。また、サブＣＰＵ５７は、圧力センサ１７が出力する電気信号に基づいて、ポンプ１４の駆動及び停止、並びに、開閉弁１６の開閉を制御する。サブＣＰＵ５７は、ポンプ１４及び開閉弁１６を制御することで、圧縮空気を押圧カフ７１及びセンシングカフ７３に選択的に送るとともに、押圧カフ７１及びセンシングカフ７３を選択的に減圧する。
【００７６】
図１乃至図５及び図９示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００７７】
第１ベルト６１は、所謂親と呼ばれ、第２ベルト６２と連結可能な帯状に構成される。第１ベルト６１は、図１乃至図４に示すように、ベルト部６１ａ及び尾錠６１ｂを有する。ベルト部６１ａは、帯状に構成される。ベルト部６１ａは、弾性変形可能な樹脂材料で形成される。また、ベルト部６１ａは、可撓性を有するとともに、ベルト部６１ａの長手方向の伸縮が抑制されるシート状のインサート部材を内部に有する。ベルト部６１ａは、一方の端部に形成され、ベルト部６１ａの長手方向に直交する第１孔部６１ｃ及び他方の端部に形成され、第１ベルト６１の長手方向に直交する第２孔部６１ｄを有する。
【００７８】
図５及び図９に示すように、第１孔部６１ｃは、ベルト部６１ａの端部に設けられる。第１孔部６１ｃは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ｃが配置されることで、外郭ケース３１に回転可能に保持される。
【００７９】
図１及び図４に示すように、第２孔部６１ｄは、ベルト部６１ａの先端に設けられる。第２孔部６１ｄは、尾錠６１ｂが取り付けられる。
【００８０】
図１及び図４に示すように、尾錠６１ｂは、矩形枠状の枠状体６１ｅと、枠状体６１ｅに回転可能に取り付けられたつく棒６１ｆと、を有する。枠状体６１ｅは、つく棒６１ｆが取り付けられた一辺が第２孔部６１ｄに挿入され、ベルト部６１ａに関して回転可能に取り付けられる。
【００８１】
第２ベルト６２は、所謂剣先と呼ばれ、枠状体６１ｅに挿入可能な幅を有する帯状に構成される。第２ベルト６２は、弾性変形可能な樹脂材料で形成される。また、第２ベルト６２は、可撓性を有するとともに、第２ベルト６２の長手方向の伸縮が抑制されるシート状のインサート部材を内部に有する。
【００８２】
また、第２ベルト６２は、図１乃至図５及び図７に示すように、つく棒６１ｆが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００８３】
このようなベルト４は、第２ベルト６２が枠状体６１ｅに挿入され、小孔６２ａにつく棒６１ｆが挿入されることで、第１ベルト６１及び第２ベルト６２が一体に接続され、外郭ケース３１とともに、手首２００の周方向に倣った環状となる。ベルト４は、手首２００の周方向に倣った環状となることで、カーラ５を押圧し、カーラ５を血圧測定装置１の装着者の手首の周方向に倣うように、弾性変形させる。
【００８４】
カーラ５は、図１乃至図５に示すように、手首２００の周方向に倣って湾曲する帯状に構成される。カーラ５は、一端と他端が離間して形成される。カーラ５は、例えば、一端側の外面が装置本体３の裏カバー３５に固定される。カーラ５は、一端及び他端が裏カバー３５よりも手首２００の一方の側方側に突出した位置に配置される。これにより、カーラ５は、血圧測定装置１を手首２００に装着したときに、一端及び他端が手首２００の側方に配置される。また、カーラ５は、所定の距離だけ離間して一端及び他端が隣接する。カーラ５は、例えば、樹脂材料で形成される。具体例として、カーラ５は、ポリプロピレンによって厚さが１ｍｍ程度に形成される。
【００８５】
具体例として、図１乃至図５に示すように、カーラ５は、手首の周方向に倣って湾曲する帯状に構成される。また、カーラ５は、一端側の手首２００の手の甲側に対向する位置に設けられ、裏カバー３５とともに裏蓋を構成する円板状のカバー部５ａ、カバー部５ａの周囲に設けられ、及び、外郭ケース３１及び裏カバー３５を固定する第２締結部材３５ｂを移動可能な逃げ部５ｂを有する。カーラ５は、例えば、カバー部５ａ及びその隣接する部位が平板状に形成されるとともに、カバー部５ａよりも一端側及び他端側が所定の曲率で湾曲して形成される。そして、カーラ５は、カバー部５ａから一端までの長さが、カバー部５ａから他端までの長さよりも短く形成される。具体例として、カーラ５は、カバー部５ａから一端までの短手側が、手首の手の甲側に配置され、そして、カバー部５ａから他端までの長手側が、手首の手の甲側から一方の側方を通って手首２００の手の平側まで延びる。
【００８６】
また、図４、図７及び図１９に示すように、カーラ５は、一端及び他端が近接したときに、一端側の内周面側に他端が位置する形状に形成される。具体例として、カーラ５の手首２００の幅方向の幅は、カーラ５の手首２００の手の平側よりもカーラ５の手首２００の手の甲側が大きく設定される。そして、カーラ５は、手首２００の手の甲側の一端の曲率半径が手首２００の手の平側の他端の曲率半径よりも大きく設定される。このような構成により、カーラ５は、カーラ５の両端側が当接すると、一端よりも他端がカーラ５の内方に配置される。また、カーラ５は、カバー部５ａの一部、及び、カバー部５ａから一端側の外面、さらに言えば、カバー部５ａから延びる短手側の外面に、カバー部５ａに隣接して設けられた窪み５ｃが設けられる。
【００８７】
カバー部５ａは、インサートされた補強用のインサート部材５ｄを含む。カバー部５ａは、固定された裏カバー３５を介して外郭ケース３１の手首２００側に固定される。カバー部５ａは、裏カバー３５の４つの孔部３５ｃと対向する位置に設けられ、裏カバー３５を固定する第１締結部材３５ａが螺合される螺子孔５ｅ、及び、カバー部５ａは、カフ構造体６を装置本体３に接続するための３つ孔部５ｆを有する。カバー部５ａは、裏カバー３５と当接する面が平面に設定される。
【００８８】
逃げ部５ｂは、裏カバー３５側から外郭ケース３１に裏カバー３５を第２締結部材３５ｂにより固定するときに、第２締結部材３５ｂがカーラ５に干渉せずに第２締結部材３５ｂを裏カバー３５に配置するため及び第２締結部材３５ｂを回転させる工具を配置するための逃げである。
【００８９】
インサート部材５ｄは、図１９に示すように、カバー部５ａの主面形状と同形状、又は、インサート部材５ｄの主面形状よりも若干小さい形状に形成された薄板である。インサート部材５ｄは、カーラ５よりも曲げ強度が高い材料、例えば、金属材料で形成されている。具体例として、インサート部材５ｄは、ＳＵＳ材により形成される。
【００９０】
３つの孔部５ｆは、押圧カフ７１の後述する接続部８４を挿入可能な内径に形成された第１孔部５ｆ１、センシングカフ７３の後述する接続部９３を挿入可能な内径に形成された第２孔部５ｆ２、及び、引張カフ７４の後述する接続部１０３を挿入可能な内径に形成された第３孔部５ｆ３である。本実施形態において、第２孔部５ｆ２は、第１孔部５ｆ１及び第３孔部５ｆ３よりも、カバー部５ａ内のカーラ５の手の平側の他端側に配置される。
【００９１】
このようなカーラ５は、一端及び他端がベルト４の第２ベルト６２と対向する向きで外郭ケース３１に固定される。また、カーラ５は、少なくとも、手首２００の手の平側と対向する位置が、手首２００の手の平側に沿って周方向に沿って湾曲することで、手首２００の手の平側と対向するカフ構造体６を、手首２００の手の平側の形状に倣って湾曲させた状態で保持する。
【００９２】
また、カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【００９３】
カーラ５は、内周面にカフ構造体６が配置され、そして、カーラ５の内周面形状に沿ってカフ構造体６を保持する。具体例として、カーラ５は、押圧カフ７１及び引張カフ７４が内周面に配置され、カーラ５並びに押圧カフ７１及び引張カフ７４との間に設けられる接合層７５により、カフ構造体６が固定されることで、カフ構造体６を保持する。本実施形態においては、接合層７５は、接着剤や両面テープである。
【００９４】
図１乃至図７、図１４乃至図２５に示すように、カフ構造体６は、押圧カフ７１と、背板７２と、センシングカフ７３と、引張カフ７４と、を備えている。また、カフ構造体６は、各構成同士、及び、カーラ５とカフ７１、７４を接合する接合層７５を備えている。カフ構造体６は、カーラ５に固定される。カフ構造体６は、押圧カフ７１、背板７２及びセンシングカフ７３が積層してカーラ５に配置され、引張カフ７４が押圧カフ７１、背板７２及びセンシングカフ７３と離間してカーラ５に配置される。
【００９５】
具体例として、カフ構造体６は、図５に示すように、カーラ５の手首２００の手の平側の内周面に、カーラ５の内周面から手首２００側に向かって、押圧カフ７１、背板７２及びセンシングカフ７３の順に積層して固定される。また、カフ構造体６は、カーラ５の手首２００の手の甲側の内周面に引張カフ７４が配置される。カフ構造体６の各部材は、積層方向に隣接する部材に接合層７５によって固定される。
【００９６】
押圧カフ７１は、流路部１５を介してポンプ１４に流体的に接続される。押圧カフ７１は、膨張することで背板７２及びセンシングカフ７３を手首２００側に押圧する。押圧カフ７１は、図１５、図１６、図２０乃至図２３に示すように、複数の、例えば二層の空気袋８１と、カーラ５と対向する空気袋８１に設けられた被接合部８２と、空気袋８１と連通する流路体（第１流路体）８３と、流路体８３の先端に設けられた接続部（第１接続部）８４と、を含む。このような押圧カフ７１は、複数のシート部材８６を一体に溶着することで構成される。
【００９７】
ここで、空気袋８１とは、袋状構造体（第１袋状構造体）であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。複数の空気袋８１は、積層され、積層方向に流体的に連通する。
【００９８】
空気袋８１は、一方向に長い矩形状の袋形状に形成される。また、空気袋８１は、短手方向の幅が、カーラ５の短手方向の幅と同じ幅に設定される。空気袋８１は、例えば、二枚のシート部材８６を組み合わせ、図１５、図１６、図２０乃至図２３に溶着部８１ａを示すように、一方向に長い矩形枠状に熱により溶着することで構成される。また、二層の空気袋８１は、二つの空気袋８１を熱により溶着して一体に組み合わせるか、又は、隣り合う空気袋８１の対向するシート部材８６同士を溶着したあとに空気袋８１を溶着して形成することで構成される。具体例として、二層の空気袋８１は、互いに対向するシート部材８６に設けられた開口によって流体的に連続する。また、二層の空気袋８１は、対向するシート部材８６同士を外周縁に位置する溶着部８１ａよりも小さい四辺枠状に溶着し、この溶着部（接合部）８１ｂで複数の開口を囲うことで、隣り合う空気袋８１を一体に形成し、そして、溶着部８１ｂの内側で流体的に連続させる。
【００９９】
被接合部８２は、カーラ５と隣接して配置される空気袋８１の縁部の少なくとも一部に、単数又は複数設けられる。被接合部８２は、空気袋８１を構成するシート部材８６の一部によって形成される。
【０１００】
本実施形態においては、被接合部８２は、図１５、図１６、図２０乃至図２３に示すように、空気袋８１の短手方向の縁部のそれぞれに一つずつ設けられる例を用いて説明する。なお、例えば、被接合部８２は、スリットにより空気袋８１の長手方向に分割されていてもよく、また、空気袋８１の長手方向に複数設けられていてもよい。被接合部８２は、押圧カフ７１がカーラ５の内周面に配置されたときに、少なくとも、カーラ５の外周面に接合される。また、例えば、二つの被接合部８２は、積層され、そして溶着される。
【０１０１】
なお、二つの被接合部８２は、例えば、空気袋８１の短手方向の長さが異なる長さに設定される。この例においては、二つの被接合部８２は、カーラ５の短手方向の一端側において積層されて溶着される。なお、二つの被接合部８２は、先端がカーラ５の外周面に配置可能であれば、その長さは適宜設定可能であり、積層可能であってもなくてもよいが、積層可能な長さに設定される場合には、先端がカーラ５の外周面の外縁よりも外方に延設されない長さが好ましい。
【０１０２】
流路体８３は、図１４、図２０乃至図２３に示すように、一つの空気袋８１、例えば、カーラ５に隣接する空気袋８１の長手方向の一方の縁部の一部に一体に設けられる。具体例として、流路体８３は、空気袋８１の装置本体３に近い端部に設けられる。また、流路体８３は、空気袋８１の短手方向の幅よりも小さい幅で一方向に長い形状に形成され、先端が円形状に形成される。流路体８３は、先端に接続部８４を有する。流路体８３は、接続部８４を介して流路部１５に接続され、装置本体３の流路部１５と空気袋８１との間の流路を構成する。
【０１０３】
流路体８３は、二枚のシート部材８６に接続部８４を配置した状態で、シート部材８６の空気袋８１を構成する領域に隣接するシート部材８６の一部を一方向に長い枠状に熱により溶着することで構成される。このような流路体８３は、カーラ５の内周面及び引張カフ７４の間に配置され、先端がカーラ５のカバー部５ａが設けられた領域の手首２００側の主面であって、且つ、第１孔部５ｆ１と対向する位置に配置される。また、流路体８３の溶着部８３ａを除く幅は、例えば、３．８ｍｍに形成される。
【０１０４】
なお、流路体８３が設けられる空気袋８１は、二枚のシート部材８６を矩形枠状に溶着する溶着部８１ａの一部を非溶着とし、流路体８３を構成する溶着部８３ａと連続する構成とすることで、空気袋８１が流路体８３に流体的に連続する。
【０１０５】
接続部８４は、例えばニップルである。接続部８４は、流路体８３の先端に設けられる。接続部８４の先端は、流路体８３を構成する二枚のシート部材８６のうち、カーラ５と対向するシート部材８６から露出する。接続部８４は、カバー部５ａの第１孔部５ｆ１に挿通され、流路部１５に接続される。
【０１０６】
具体例として、押圧カフ７１は、図１５、図１６及び図３１に示すように、手首２００側から、第１シート部材８６ａと、第１シート部材８６ａと一層目の空気袋８１を構成する第２シート部材８６ｂと、第２シート部材８６ｂと一体に接合されるとともに、被接合部８２を構成する第３シート部材８６ｃと、第３シート部材８６ｃと二層目の空気袋８１及び流路体８３を構成する第４シート部材８６ｄと、を備える。なお、押圧カフ７１は、隣り合うシート部材８６が熱による溶着により接合されることで一体に構成される。
【０１０７】
第１シート部材８６ａ及び第２シート部材８６ｂは、空気袋８１と同様の矩形状に構成され、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。また、第２シート部材８６ｂ及び第３シート部材８６ｃは、複数の開口８６ｂ１、８６ｃ１の周囲を、空気袋８１を溶着した四辺よりも小さい四辺枠状に熱により溶着されることで、一体に接合される。
【０１０８】
第３シート部材８６ｃは、例えば、空気袋８１、被接合部８２及び流路体８３を構成可能な形状に構成される。第４シート部材８６ｄは、例えば、空気袋８１及び流路体８３を構成可能な形状に構成される。また、第４シート部材８６ｄは、例えば、接続部８４の先端を挿入可能な孔部８６ｄ１を有する。
【０１０９】
第３シート部材８６ｃ及び第４シート部材８６ｄは、対向して配置され、空気袋８１及び流路体８３が流体的に連続するように、空気袋８１及び流路体８３の周縁形状に沿って熱により溶着され、所定の形状に裁断されることで空気袋８１、被接合部８２及び流路体８３を構成する。
【０１１０】
第４シート部材８６ｄの孔部８６ｄ１に接続部８４が配置され、孔部８６ｄ１の周囲が接続部８４と熱により溶着される。さらに、第４シート部材８６ｄはカーラ５の内周面に、第３シート部材８６ｃの被接合部８２はカーラ５の外周面に、それぞれ接合層７５を介して接合される。
【０１１１】
背板７２は、図１５、図１６及び図３１に示すように、接合層７５により押圧カフ７１の第１シート部材８６ａの外面に貼付される。背板７２は、樹脂材料で板状に形成される。背板７２は、例えば、ポリプロピレンからなり、厚さが１ｍｍ程度の板状に形成される。背板７２は、形状追従性を有する。
【０１１２】
ここで、形状追従性とは、配置される手首２００の被接触箇所の形状を倣うように背板７２が変形可能な機能をいい、手首２００の被接触箇所とは、背板７２が対向する手首２００の領域をいう。ここでの接触とは、直接的な接触及びセンシングカフ７３を介した間接的な接触の双方を含む。
【０１１３】
例えば、図１６に示すように、背板７２は、その両主面に長手方向に対して直交する方向に延びる複数の溝７２ａを有する。複数の溝７２ａは、背板７２の厚さ方向においてそれぞれ対向する。また、複数の溝７２ａは、背板７２の長手方向に等間隔に配置される。
【０１１４】
背板７２は、複数の溝７２ａを有する部位が溝７２ａを有さない部位に比べて薄肉となることで、複数の溝７２ａを有する部位が変形しやすいことから、手首２００の形状に倣って変形し、手首の周方向に延在する形状追従性を有する。背板７２は、手首２００の手の平側を覆う長さに形成される。背板７２は、手首２００の形状に沿った状態で、押圧カフ７１からの押圧力をセンシングカフ７３の背板７２側の主面に伝達する。
【０１１５】
センシングカフ７３は、流路部１５を介してポンプ１４に流体的に接続される。センシングカフ７３は、背板７２の手首２００側の主面に固定される。センシングカフ７３は、図５及び図３１に示すように、手首２００の動脈２１０が存する領域に直接接触する。ここで、動脈２１０とは、橈骨動脈及び尺骨動脈である。センシングカフ７３は、背板７２の長手方向及び幅方向で、背板７２と同一形状か、又は、背板７２よりも小さい形状に形成される。センシングカフ７３は、膨張することで手首２００の手の平側の動脈２１０が存する領域を圧迫する。センシングカフ７３は、膨張した押圧カフ７１により、背板７２を介して手首２００側に押圧される。
【０１１６】
具体例として、センシングカフ７３は、図１５、図１６、図２４乃至図２５に示すように、一つの空気袋９１と、空気袋９１と連通する流路体（第２流路体）９２と、流路体９２の先端に設けられた接続部９３と、を含む。センシングカフ７３は、空気袋９１の一方の主面が背板７２に固定される。例えば、センシングカフ７３は、背板７２の手首２００側の主面に接合層７５により接合される。このようなセンシングカフ７３は、二枚のシート部材９６を一体に溶着することで構成される。
【０１１７】
ここで、空気袋９１とは、袋状構造体（第１袋状構造体）であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。
【０１１８】
空気袋９１は、一方向に長い矩形状に構成される。空気袋９１は、例えば、一方向に長い二枚のシート部材９６を組み合わせ、図１５、図１６、図２４乃至図２５に溶着部９１ａを示すように、一方向に長い矩形枠状に熱により溶着することで構成される。また、空気袋９１は、例えば、空気袋９１を背板７２に接合層７５を用いて接合するための面積を確保するために、接合代９１ｂを有する。接合代９１ｂは、例えば、背板７２に対向するシート部材９６により形成される。
【０１１９】
流路体９２は、空気袋９１の長手方向の一方の縁部の一部に一体に設けられる。具体例として、流路体９２は、空気袋９１の装置本体３に近い端部に設けられる。また、流路体９２は、空気袋９１の短手方向の幅よりも小さい幅で一方向に長い形状に形成され、先端が円形状に形成される。流路体９２は、先端に接続部９３を有する。流路体９２は、先端に、接続部９３を有する。流路体９２は、接続部９３を介して流路部１５に接続され、装置本体３の流路部１５と空気袋９１との間の流路を構成する。
【０１２０】
流路体９２は、二枚のシート部材９６に接続部９３を配置した状態で、シート部材９６の空気袋９１を構成する領域に隣接するシート部材９６の一部を一方向に長い枠状に熱により溶着することで構成される。なお、空気袋９１は、二枚のシート部材９６を矩形枠状に溶着する溶着部９１ａの一部を非溶着とし、流路体９２を構成する溶着部９２ａと連続する構成とすることで、空気袋９１及び流路体９２を流体的に連続する。このような流路体９２は、カーラ５の内周面及び引張カフ７４の間に配置され、先端がカーラ５のカバー部５ａが設けられた領域の手首２００側の主面であって、且つ、第２孔部５ｆ２と対向する位置に配置される。また、流路体９２の溶着部９２ａを除く幅は、例えば、３．８ｍｍに形成される。
【０１２１】
接続部９３は、例えばニップルである。接続部９３は、流路体９２の先端に設けられる。また、接続部９３の先端は、流路体９２を構成する二枚のシート部材９６のうち、カーラ５及び背板７２と対向するシート部材９６から外部に露出する。接続部９３は、カバー部５ａの第２孔部５ｆ２に挿通され、流路部１５に接続される。
【０１２２】
具体例として、センシングカフ７３は、図１５及び図１６に示すように、手首２００側から第５シート部材９６ａ及び第６シート部材９６ｂを備える。なお、センシングカフ７３は、隣り合うシート部材９６が熱による溶着により接合されることで構成される。
【０１２３】
例えば、第５シート部材９６ａ及び第６シート部材９６ｂは、空気袋９１、接合代９１ｂ及び流路体９２を構成可能な形状に構成される。第５シート部材９６ａ及び第６シート部材９６ｂは、対向して配置され、空気袋９１及び流路体９２が流体的に連続するように、空気袋９１及び流路体９２の周縁形状に沿って熱により溶着され、所定の形状に裁断されることで空気袋９１及び流路体９２を構成する。
【０１２４】
また、第６シート部材９６ｂは、例えば、接続部９３の先端を挿入可能な孔部９６ｂ１を有する。孔部９６ｂ１に接続部９３が配置され、孔部９６ｂ１の周囲が接続部９３と熱により溶着される。第６シート部材９６ｂは、背板７２の内周面に、接合層７５を介して接合される。
【０１２５】
引張カフ７４は、流路部１５を介してポンプ１４に流体的に接続される。引張カフ７４は、膨張することで手首２００から離間するようにカーラ５を押圧することで、ベルト４及びカーラ５を手首２００の手の甲側に引っ張る。引張カフ７４は、図１７及び図１８に示すように、複数の、例えば六層の空気袋１０１と、カーラ５と対向する空気袋１０１に設けられた被接合部１０２と、カーラ５と対向する空気袋１０１に設けられた接続部（第３接続部）１０３と、を含む。このような引張カフ７４は、複数のシート部材１０６を一体に溶着することで構成される。また、引張カフ７４は、流路体８３、９２が設けられた領域、及び、カバー部５ａを含むカーラ５の手首２００の手の甲側に固定される。即ち、カーラ５の手首２００の手の甲側及び引張カフ７４の間に、押圧カフ７１の流路体８３及びセンシングカフ７３の流路体９２が配置される。
【０１２６】
また、引張カフ７４は、膨張方向、本実施形態においては、カーラ５及び手首２００の対向する方向で、膨張時の厚さが、押圧カフ７１の膨張方向における膨張時の厚さ、及び、センシングカフ７３の膨張方向における膨張時の厚さよりも厚く構成される。即ち、引張カフ７４の空気袋１０１は、押圧カフ７１の空気袋８１及びセンシングカフ７３の空気袋９１よりも多い層構造を有し、カーラ５から手首２００に向かって膨張したときの厚さが押圧カフ７１及びセンシングカフ７３よりも厚い。
【０１２７】
ここで、空気袋１０１とは、袋状構造体（第３袋状構造体）であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。複数の空気袋１０１は、積層され、積層方向に流体的に連通する。
【０１２８】
空気袋１０１は、一方向に長い矩形状の袋形状に形成される。また、空気袋１０１は、短手方向の幅が、カーラ５の短手方向の幅と同じ幅に設定される。空気袋１０１は、例えば、二枚のシート部材１０６を組み合わせ、図１７、図１８、図２０及び図２１に溶着部１０１ａを示すように、一方向に長い矩形枠状に熱により溶着することで構成される。また、六層の空気袋１０１は、例えば、六つの空気袋１０１を熱により溶着して一体に組み合わせるか、又は、隣り合う空気袋１０１の対向するシート部材１０６同士を溶着したあとに空気袋１０１を溶着して形成することで構成される。六層の空気袋１０１は、互いに対向するシート部材１０６に設けられた開口によって流体的に連続する。また、六層の空気袋１０１は、対向するシート部材１０６同士を外周縁に位置する溶着部８１ａよりも小さい四辺枠状に溶着し、この溶着部（接合部）１０１ｂで複数の開口を囲うことで、隣り合う空気袋１０１を一体に形成し、そして、溶着部１０１ｂの内側で流体的に連続させる。
【０１２９】
被接合部１０２は、カーラ５と隣接して配置される空気袋１０１の縁部の少なくとも一部に、単数又は複数設けられる。被接合部１０２は、空気袋１０１を構成するシート部材１０６の一部によって形成される。
【０１３０】
本実施形態においては、被接合部１０２は、空気袋１０１の短手方向の縁部のそれぞれに、空気袋１０１の長手方向で二つずつ設けられる例を用いて説明する。なお、例えば、被接合部１０２は、カーラ５のカバー部５ａと対向する位置を避けて空気袋１０１に設けられる。また、例えば、被接合部１０２は、カーラ５に設けられた給電部８の後述する給電端子８ｂと対向する部位に、給電端子８ｂを外部に露出させるための逃げ部１０２ａを有する。逃げ部１０２ａは、例えば、給電端子８ｂを外部に露出可能な開口であり、一例として円形状である。
【０１３１】
被接合部１０２は、引張カフ７４がカーラ５の内周面に配置されたときに、少なくとも、カーラ５の外周面に接合される。また、空気袋１０１の短手方向で同じ位置に配置される被接合部１０２は、積層され、そして溶着される。
【０１３２】
なお、二つの被接合部１０２は、例えば、空気袋１０１の短手方向の長さが異なる長さに設定される。この例においては、二つの被接合部１０２は、カーラ５の短手方向の一端側において積層されて溶着される。なお、二つの被接合部１０２は、先端がカーラ５の外周面に配置可能であれば、その長さは適宜設定可能であり、積層可能であってもなくてもよいが、積層可能な長さに設定される場合には、先端がカーラ５の外周面の外縁よりも外方に延設されない長さが好ましい。
【０１３３】
接続部１０３は、例えばニップルである。接続部１０３は、カーラ５と隣接して配置される空気袋１０１の長手方向で中央側であって、且つ、カバー部５ａの第３孔部５ｆ３と対向する位置に設けられる。接続部１０３の先端は、空気袋１０１を構成する二枚のシート部材１０６のうち、カーラ５と対向するシート部材１０６から露出する。接続部１０３は、カバー部５ａの第３孔部５ｆ３に挿通され、流路部１５に接続される。
【０１３４】
具体例として、引張カフ７４は、図１７及び図１８に示すように、手首２００側から、第７シート部材１０６ａと、第８シート部材１０６ｂと、第９シート部材１０６ｃと、第１０シート部材１０６ｄと、第１１シート部材１０６ｅと、第１２シート部材１０６ｆと、第１３シート部材１０６ｇと、第１４シート部材１０６ｈと、第１５シート部材１０６ｉと、第１６シート部材１０６ｊと、第１７シート部材１０６ｋと、第１８シート部材１０６ｌと、を備えている。なお、引張カフ７４は、隣り合うシート部材１０６が熱による溶着により接合されることで一体に構成される。
【０１３５】
第７シート部材１０６ａ乃至第１８シート部材１０６ｌは、空気袋１０１と同様の矩形状に構成される。第７シート部材１０６ａ及び第８シート部材１０６ｂは、四辺の周縁部が溶着されることで、一層目の空気袋１０１を構成する。第８シート部材１０６ｂ及び第９シート部材１０６ｃは、対向して配置され、それぞれ、二つの空気袋１０１を流体的に連続させる複数の開口１０６ｂ１、１０６ｃ１を有する。また、第８シート部材１０６ｂ及び第９シート部材１０６ｃは、複数の開口１０６ｂ１、１０６ｃ１の周囲を、空気袋１０１を溶着した四辺よりも小さい四辺枠状に熱により溶着されることで、一体に接合される。
【０１３６】
第９シート部材１０６ｃ及び第１０シート部材１０６ｄは、四辺の周縁部が溶着されることで、二層目の空気袋１０１を構成する。
【０１３７】
第１０シート部材１０６ｄ及び第１１シート部材１０６ｅは、図１７及び図１８に示すように、対向して配置され、それぞれ、二つの空気袋１０１を流体的に連続させる複数の開口１０６ｄ１、１０６ｅ１を有する。また、第１０シート部材１０６ｄ及び第１１シート部材１０６ｅは、複数の開口１０６ｄ１、１０６ｅ１の周囲を、空気袋１０１を溶着した四辺よりも小さい四辺枠状に熱により溶着されることで、一体に接合される。第１１シート部材１０６ｅ及び第１２シート部材１０６ｆは、四辺の周縁部が溶着されることで、三層目の空気袋１０１を構成する。
【０１３８】
第１２シート部材１０６ｆ及び第１３シート部材１０６ｇは、図１７及び図１８に示すように、対向して配置され、それぞれ、二つの空気袋１０１を流体的に連続させる複数の開口１０６ｆ１、１０６ｇ１を有する。また、第１２シート部材１０６ｆ及び第１３シート部材１０６ｇは、複数の開口１０６ｆ１、１０６ｇ１の周囲を、空気袋１０１を溶着した四辺よりも小さい四辺枠状に熱により溶着されることで、一体に接合される。第１３シート部材１０６ｇ及び第１４シート部材１０６ｈは、四辺の周縁部が溶着されることで、四層目の空気袋１０１を構成する。
【０１３９】
第１４シート部材１０６ｈ及び第１５シート部材１０６ｉは、図１７及び図１８に示すように、対向して配置され、それぞれ、二つの空気袋１０１を流体的に連続させる複数の開口１０６ｈ１、１０６ｉ１を有する。また、第１４シート部材１０６ｈ及び第１５シート部材１０６ｉは、複数の開口１０６ｈ１、１０６ｉ１の周囲を、空気袋１０１を溶着した四辺よりも小さい四辺枠状に熱により溶着されることで、一体に接合される。第１５シート部材１０６ｉ及び第１６シート部材１０６ｊは、四辺の周縁部が溶着されることで、五層目の空気袋１０１を構成する。
【０１４０】
第１６シート部材１０６ｊ及び第１７シート部材１０６ｋは、図１７及び図１８に示すように、対向して配置され、それぞれ、二つの空気袋１０１を流体的に連続させる複数の開口１０６ｊ１、１０６ｋ１を有する。また、第１７シート部材１０６ｋは、例えば、空気袋１０１及び被接合部１０２を構成可能な形状に構成される。第１６シート部材１０６ｊ及び第１７シート部材１０６ｋは、複数の開口１０６ｊ１、１０６ｋ１の周囲を、空気袋１０１を溶着した四辺よりも小さい四辺枠状に熱により溶着されることで、一体に接合される。第１７シート部材１０６ｋ及び第１８シート部材１０６ｌは、空気袋１０１の周縁形状に沿って熱により溶着され、所定の形状に裁断されることで、六層目の空気袋１０１及び被接合部１０２を構成する。
【０１４１】
また、第１８シート部材１０６ｌは、例えば、接続部１０３の先端を挿入可能な孔部１０６ｌ１を有する。第１８シート部材１０６ｌは、孔部１０６ｌ１に接続部１０３が配置され、そして、孔部１０６ｌ１の周囲が接続部１０３と熱により溶着される。また、第１８シート部材１０６ｌは、カーラ５の内周面に、第１７シート部材１０６ｋの被接合部１０２はカーラ５の外周面に、それぞれ接合層７５を介して接合される。
【０１４２】
また、押圧カフ７１、センシングカフ７３及び引張カフ７４を形成する各シート部材８６、９６、１０６は、熱可塑性樹脂材料により形成される。熱可塑性樹脂材料は、熱可塑性エラストマーである。シート部材８６、９６、１０６を構成する熱可塑性樹脂材料としては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。なお、押圧カフ７１、センシングカフ７３は、少なくとも空気袋８１、１０１を構成する複数のシート部材８６、１０６のうち、少なくともカーラ５と溶着されるシート部材８６、１０６がカーラ５と同種材料で構成される。
【０１４３】
例えば、シート部材８６、９６、１０６は、Ｔダイ押し出し成形や射出成形等の成形方式が用いられる。シート部材８６、９６、１０６は、各成形方式で成形された後、所定の形状にサイジングされ、そして、サイジングした個片を溶着等により接合することで袋状構造体８１、９１、１０１を構成する。溶着の方式としては、高周波ウェルダーやレーザー溶着が用いられる。
【０１４４】
流体回路７は、ケース１１、ポンプ１４、流路部１５、開閉弁１６、圧力センサ１７、押圧カフ７１、センシングカフ７３、及び、引張カフ７４によって構成される。以下、流体回路７の具体例を説明する。
【０１４５】
流体回路７は、図６に示すように、例えば、第１開閉弁１６Ａを介してポンプ１４とセンシングカフ７３、第１圧力センサ１７Ａ及び第２圧力センサ１７Ｂとを連続する第１流路７ａと、ポンプ１４及び第１開閉弁１６Ａの間の第１流路７ａから分岐されることで構成され、第２開閉弁１６Ｂ、第３開閉弁１６Ｃ及び第４開閉弁１６Ｄを順次介してポンプ１４と大気とを連続する第２流路７ｂと、第２流路７ｂの第２開閉弁１６Ｂ及び第３開閉弁１６Ｃ間の中途部が分岐されることで構成され、ポンプ１４から引張カフ７４を連続する第３流路７ｃと、第２流路７ｂの第３開閉弁１６Ｃ及び第４開閉弁１６Ｄ間の中途部が分岐されることで構成され、ポンプ１４から押圧カフ７１を連続する第４流路７ｄと、を備えている。
【０１４６】
このような流体回路７は、第２開閉弁１６Ｂ及び第３開閉弁１６Ｃが開き、第１開閉弁１６Ａ及び第４開閉弁１６Ｄが閉じることで、第２流路７ｂから分岐する第３流路７ｃ及び第４流路７ｄがポンプ１４と接続し、ポンプ１４、押圧カフ７１及び引張カフが流体的に接続される。
【０１４７】
流体回路７は、第１開閉弁１６Ａ、第２開閉弁１６Ｂ及び第３開閉弁１６Ｃが開き、そして、第４開閉弁１６Ｄが閉じることで、第１流路７ａ、第２流路７ｂから分岐する第３流路７ｃ及び第４流路７ｄがポンプ１４と接続され、ポンプ１４、押圧カフ７１及び引張カフ、並びに、ポンプ１４及びセンシングカフ７３が流体的に接続される。流体回路７は、第２開閉弁１６Ｂ、第３開閉弁１６Ｃ及び第４開閉弁１６Ｄが開き、そして、第１開閉弁１６Ａが閉じることで、第２流路７ｂ、第３流路７ｃ及び第４流路７ｄがポンプ１４と接続され、ポンプ１４、押圧カフ７１、引張カフ７４及び大気が流体的に接続される。また、流体回路７は、第１開閉弁１６Ａ、第２開閉弁１６Ｂ、第３開閉弁１６Ｃ及び第４開閉弁１６Ｄが開くことで、第１流路７ａ、第２流路７ｂ、第３流路７ｃ及び第４流路７ｄがポンプ１４と接続され、ポンプ１４、押圧カフ７１、センシングカフ７３、引張カフ７４及び大気が流体的に接続される。
【０１４８】
給電部８は、図２、図９及び図１４に示すように、装置本体３から突出するカーラ５の一端側の外面に形成された窪み５ｃに設けられる。例えば、給電部８は、充電器の充電ケーブルに設けられたコネクタと接続可能に構成される。
【０１４９】
図２、図９及び図１４に示すように、給電部８は、配線部８ａと、給電端子８ｂと、カーラ５の窪み５ｃに配置された配線部８ａを覆うカバー８ｃと、を備えている。配線部８ａは、一端が給電端子８ｂに、他端が制御部５５に接続される。給電端子８ｂは、例えば二つの円形状の端子により構成される。例えば、配線部８ａ及び給電端子８ｂは、ポリイミド等のベースフィルムに導電性金属膜等が設けられたＦＰＣ（Flexible printed circuits）等により形成される。カバー８ｃは、窪み５ｃと同形状に形成され、窪み５ｃを覆うとともに、窪み５ｃに設けられたときに、上面が、カーラ５の短手側の外面と面一となる。
【０１５０】
次に、血圧測定装置１の製造方法の一例について、図２６を用いて以下説明する。
【０１５１】
先ず、カーラ５に給電部８を形成する（ステップＳＴ１１）。カーラ５に配線部８ａ及び給電端子８ｂを構成するＦＰＣをカーラ５のカバー部５ａ及び窪み５ｃに両面テープ等により接合し、窪み５ｃにカバー８ｃを両面テープ等により接合する。
【０１５２】
次に、カーラ５にカフ構造体６を接合する（ステップＳＴ１２）。具体例として、先ず、背板７２を、湾曲する冶具に配置し、加熱炉で過熱することで、熱加工し、所定の形状に湾曲させる。次に、押圧カフ７１の第４シート部材８６ｄのカーラ５と対向する領域、及び、被接合部８２に接合層７５である両面テープを貼り付けて、カーラ５に押圧カフ７１を貼り付ける。次に、センシングカフ７３の第６シート部材９６ｂの背板７２と対向する領域に両面テープを貼り付けて、背板７２にセンシングカフ７３を貼り付ける。なお、これらの工程において、押圧カフ７１の接続部８４及びセンシングカフ７３の接続部９３は、カーラ５のカバー部５ａの第１孔部５ｆ１及び第２孔部５ｆ２に挿通させておく。
【０１５３】
次に、背板７２の押圧カフ７１と対向する領域に両面テープを貼り付けて、押圧カフ７１の第１シート部材８６ａに背板７２を貼り付ける。次に、引張カフ７４の第１８シート部材１０６ｌのカーラ５と対向する領域、及び、被接合部１０２に両面テープを貼り付けて、カーラ５並びにカーラ５の内面に配置された押圧カフ７１の流路体８３及びセンシングカフ７３の流路体９２に引張カフ７４を貼り付ける。これらの工程により、カーラ５にカフ構造体６が接合される。
【０１５４】
次に、カバー部５ａに第１シール部材３６及び裏カバー３５を配置し、第１締結部材３５ａによりカバー部５ａに裏カバー３５を固定し（ステップＳＴ１３）、裏蓋を構成する。
【０１５５】
次に、裏カバー３５を除く装置本体３を一体に組み立てる（ステップＳＴ１４）。具体例として、まず、基部３３に、第２シール部材３７をインサート成形する。次に、基部３３に固定される部品を、基部３３に固定する。この一例として、ポンプ１４を基部３３に、両面テープにより固定する。第１開閉弁１６Ａ、第２開閉弁１６Ｂ、第３開閉弁１６Ｃ、第４開閉弁１６Ｄ、第１圧力センサ１７Ａ、及び第２圧力センサ１７Ｂを、流路部１５に設置する。開閉弁１６、及び基部３３に、第１チューブ、第２チューブ、及び第３チューブを固定する。第１チューブ、第２チューブ、及び第３チューブは、流路部１５の一部を構成する。
【０１５６】
次に、外郭ケース３１に風防３２を取り付ける。次に、基部３３を、外郭ケース３１の裏カバー３５側の開口から挿入する。このとき、例えば、基部３３の第１凸部３３ｂの風防３２側の端面３３ｃが、外郭ケース３１のシール溝３１ｅの端面３１ｅ１に当接するまで基部３３をシール溝３１ｅ内に押し込む。
【０１５７】
基部３３を外郭ケース３１内に挿入する際に、第２シール部材３７の中途部３７ｂ及びその近傍が外郭ケース３１のシール溝３１ｅの内周面３１ｅ２に当接することで第２シール部材３７が外郭ケース３１の中心側に押圧されて変形する。この変形により、第２シール部材３７が内周面３１ｄに密着する。
【０１５８】
次に、ポンプ１４に電力供給部１８を、両面テープにより固定する。このような工程を経て、装置本体３の組み立てが完了する。
【０１５９】
次に、装置本体３の外郭ケース３１の手首２００側の端部に裏カバー３５を配置し、第２締結部材３５ｂにより外郭ケース３１及び裏カバー３５を固定する（ステップＳＴ１５）。
【０１６０】
第２締結部材３５ｂが螺子であることから、螺子回し等で第２締結部材３５ｂを螺子孔３１ｃさせることに伴って、裏カバー３５が風防３２側に押圧される。これにより、裏カバー３５の縁部３５ｆが、第２シール部材３７の端面３７ｅを風防３２側に押圧して変形させることで、縁部３５ｆが外郭ケース３１の端面３１ｆおよび第１凸部３３ｂの端面３３ｅに当接する。また、この押圧により第２シール部材３７が変形することで、第２シール部材３７は、外郭ケース３１のシール溝３１ｅの内周面３１ｅ２に押し付けられて、内周面３１ｅ２により一層密着する。
【０１６１】
さらに、基部３３の端面３３ｃが、外郭ケース３１の端面３１ｅ１に当接し、裏カバー３５の縁部３５ｆが、外郭ケース３１の手首２００側の端面３１ｆおよび基部３３の手首２００側の端面３３ｅに当接することで、外郭ケース３１に対する、基部３３及び裏カバー３５の位置決めがなされる。
【０１６２】
そして、外郭ケース３１に第１ベルト６１及び第２ベルト６２を組み立てる（ステップＳＴ１６）。これらの工程により、血圧測定装置１が製造される。なお、血圧測定装置１の製造後に、装置本体内の各種パラメータの調整、外観検査、リーク検査等を行い、シリアルナンバー等を刻印し、個装箱等に梱包することで出荷状態となる。
【０１６３】
次に、血圧測定装置１を使用した血圧値の測定の一例について、図２７乃至図３０を用いて説明する。図２７は、血圧測定装置１を用いた血圧測定の一例を示す流れ図であり、ユーザの動作及び制御部５５の動作の双方を示す。また、図２８乃至図３０は、ユーザが手首２００に血圧測定装置１を装着する一例を示す。
【０１６４】
先ず、ユーザは、手首２００に血圧測定装置１を装着する（ステップＳＴ２１）。具体例として、例えば、ユーザは、図２８に示すように、手首２００の一方をカーラ５内に挿入する。
【０１６５】
このとき、血圧測定装置１は、装置本体３及びセンシングカフ７３がカーラ５の相対する位置に配置されることから、センシングカフ７３を手首２００の手の平側の動脈２１０が存する領域に配置される。これにより、装置本体３及び引張カフ７４は、手首２００の手の甲側に配される。次いで図２９に示すように、ユーザが血圧測定装置１を配した手とは反対の手によって、第１ベルト６１の尾錠６１ｂの枠状体６１ｅに第２ベルト６２を通す。次いで、ユーザは、第２ベルト６２を引っ張り、カーラ５の内周面側の部材、即ち、カフ構造体６を手首２００に密着させ、小孔６２ａにつく棒６１ｆを挿入する。これにより、図５及び図３１に示すように、第１ベルト６１及び第２ベルト６２が接続され、血圧測定装置１が手首２００に装着される。
【０１６６】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ２２）。制御部５５は、当該電気信号を受信すると、例えば、第１開閉弁１６Ａ、第２開閉弁１６Ｂ及び第３開閉弁１６Ｃを開くとともに、第４開閉弁１６Ｄを閉じ、ポンプ１４を駆動し、第１流路７ａ、第２流路７ｂ、第３流路７ｃ及び第４流路７ｄを介して押圧カフ７１、センシングカフ７３及び引張カフ７４へ圧縮空気を供給する（ステップＳＴ２３）。これにより、押圧カフ７１、センシングカフ７３及び引張カフ７４は膨張を開始する。
【０１６７】
第１圧力センサ１７Ａ及び第２圧力センサ１７Ｂは、押圧カフ７１、センシングカフ７３及び引張カフ７４の圧力を検出し、この圧力に対応した電気信号を制御部５５へ出力する（ステップＳＴ２４）。制御部５５は、受信した電気信号に基づいて、押圧カフ７１、センシングカフ７３及び引張カフ７４の内部空間の圧力が血圧測定のための所定の圧力に達しているか否かを判断する（ステップＳＴ２５）。例えば、押圧カフ７１及び引張カフ７４の内圧が所定の圧力に達しておらず、且つ、センシングカフ７３の内圧が所定の圧力に達した場合には、制御部５５は、第１開閉弁１６Ａを閉じ、第２流路７ｂ、第３流路７ｃ、第４流路７ｄを介して圧縮空気を供給する。
【０１６８】
押圧カフ７１及び引張カフ７４の内圧並びにセンシングカフ７３の内圧が、全て所定の圧力に達した場合には、制御部５５は、ポンプ１４の駆動を停止する（ステップＳＴ２５でＹＥＳ）。このとき、図５に二点鎖線で示すように、押圧カフ７１及び引張カフ７４は十分に膨張しており、膨張した押圧カフ７１は、背板７２を押圧する。また、引張カフ７４は、手首２００から離間する方向に、カーラ５を押圧することから、ベルト４、カーラ５及び装置本体３は、手首２００から離間する方向に移動し、結果、押圧カフ７１、背板７２、センシングカフ７３が手首２００側に引っ張られる。加えて、引張カフ７４の膨張によってベルト４、カーラ５及び装置本体３が手首２００から離間する方向に移動するときに、ベルト４及びカーラ５が、手首２００の両側方に向かって移動し、手首２００の両側方に密着した状態で、ベルト４、カーラ５及び装置本体３が移動する。このため、手首２００の皮膚に密着したベルト４及びカーラ５は、手首２００の両側方の皮膚を手の甲側に引っ張る。なお、カーラ５は、手首２００の皮膚を引っ張ることができれば、例えば、シート部材８６、１０６を介して間接的に手首２００の皮膚に接触する構成であってもよい。
【０１６９】
さらに、センシングカフ７３は、内圧が血圧を測定するために要する圧力となるように所定の空気量が供給され、膨張しており、そして、押圧カフ７１に押圧された背板７２によって手首２００に向かって押圧される。このため、センシングカフ７３は、手首２００内の動脈２１０を押圧し、図３１に示すように動脈２１０を閉塞する。
【０１７０】
また、制御部５５は、例えば、第３開閉弁１６Ｃを制御し、第３開閉弁１６Ｃの開閉を繰り返すか、又は、第３開閉弁１６Ｃの開度を調整することで、押圧カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める（ステップＳＴ２６）。制御部５５は、求めた測定結果に対応した画像信号を、表示部１２へ出力し、測定結果を表示部１２に表示する（ステップＳＴ２７）。また、制御部５５は、血圧測定終了後、第１開閉弁１６Ａ、第２開閉弁１６Ｂ、第３開閉弁１６Ｃ及び第４開閉弁１６Ｄを開く。
【０１７１】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｆを外し、枠状体６１ｅから第２ベルト６２を外し、カーラ５から手首２００を抜くことで、手首２００から血圧測定装置１を取り外す。
【０１７２】
このように構成された一実施形態に係る血圧測定装置１は、第１シール部材３６及び第２シール部材３７を有する構成であることで、高い密閉性を持たせることが可能となる。さらに、ケース１１内への防水構造として、第１シール部材３６及び第２シール部材３７を有する２段構造とすることで、第１シール部材３６及び第２シール部材３７を合わせた密閉性が血圧測定装置１に求められる密閉性を満たせばよいので、第１シール部材３６及び第２シール部材３７のそれぞれの密閉性を高くしなくてもよい。
【０１７３】
この為、第１シール部材３６及び第２シール部材３７を、例えば複雑な機構を有するシールにすることがない。結果、カーラ５を裏カバー３５から取り外しやすくなることで、カフ構造体６を交換することが可能となる。さらに、メンテナンスやカフの交換等によりカーラ５を裏カバー３５から取り外す場合でも、第１シール部材３６によるシールのみを解除すればよい。ここで言う第１シール部材３６によるシールを解除するとは、例えば、第１シール部材３６を取り外したり、または、第１シール部材３６を一部破壊すること等である。本実施形態では、第１シール部材３６が粘着テープから形成される構成であるので、第１シール部材３６を、裏カバー３５、またはカーラ５からはがすことである。
【０１７４】
さらに、このシールの解除に伴い第１シール部材３６の交換が必要となっても、その交換に係るコストを低く抑えることが可能となる。
【０１７５】
さらに、基部３３が外郭ケース３１の軸方向Ｄで外郭ケース３１の端面３１ｅ１に当接することで、外郭ケース３１及び基部３３の位置ずれを抑制できる。
【０１７６】
さらに、第１シール部材３６が両面テープで構成されることで、第１シール部材３６を簡単な構成にできる。さらに、第１シール部材３６自体も、カーラ５を裏カバー３５に固定することで、カーラ５及び裏カバー３５の固定を強固にすることが可能となる。さらに、第１シール部材３６の交換作業を簡単にし、かつ、第１シール部材３６の交換に伴うコストを低く抑えることが可能となる。
【０１７７】
さらに、第２シール部材３７が例えばインサート成形により、基部３３に一体に形成される。この為、第２シール部材３７が基部３３から脱落することを抑制できる。さらに、本実施形態のように、外郭ケース３１の内周面が完全な円ではなく、一部が平面に構成され、他部が曲面に構成される場合であっても、第２シール部材３７が基部３３に一体に形成されることで、第２シール部材３７を基部３３と一体に外郭ケース３１内に配置できるので、第２シール部材３７の取付作業の作業性がよい。
【０１７８】
さらに、第２シール部材３７がシール溝３１ｅ内に収容される前の状態で、第２シール部材３７の外周面３７ａの中途部３７ｂの径が、シール溝３１ｅの内周面３１ｅ２の径よりも大径である。この為、第２シール部材３７は、シール溝３１ｅに収容されると径方向につぶれることで、内周面３１ｅ２に密着する。この為、第２シール部材３７によるシール性を向上できる。
【０１７９】
さらに、第２シール部材３７が変形する前の状態で、第２シール部材３７の外周面の領域３７ｃが、中途部３７ｂから漸次縮径する面に構成され、かつ、第２シール部材３７の外周面の風防３２側の一端の径が、シール溝３１ｅの手首２００側の開口の径よりも小さい。この為、基部３３を外郭ケース３１内に移動する際に、第２シール部材３７をシール溝３１ｅにスムーズに収容できるとともに、領域３７ｃがシール溝３１ｅの開口に当接することとでガイドとして作用するので、基部３３の外郭ケース３１内への移動をスムーズに行える。さらに、第２シール部材３７が、外郭ケース３１のシール溝３１ｅの開口縁に引っかかることを抑制できるので、第２シール部材３７が基部３３から脱落することを抑制できる。
【０１８０】
さらに、基部３３の外周面３３ａが、第２シール部材３７内に配置される第２凸部３３ｄを有することで、第２シール部材３７が基部３３から脱落することをより一層抑制できる。
【０１８１】
さらに、第２シール部材３７の端面３７ｅの径方向の中途部が、手首２００側に突出する形状に構成されることで、第２シール部材３７が裏カバー３５により押圧されて変形しても、裏カバー３５及び外郭ケース３１の端面３１ｆ間に噛みこまれることを抑制できる。
【０１８２】
なお、本発明は上述した実施形態に限定されない。上述した例では、第２シール部材３７の風防３２側の端面３７ｄが、基部３３の第１凸部３３ｂの端面３３ｃと同一平面に構成される構成を説明したがこれに限定されない。例えば、図３２中２点鎖線で変形前の第２シール部材３７を示すように、第２シール部材３７の風防側の端面３７ｄは、裏カバー３５が固定された状態で外郭ケース３１の端面３１ｅ１に押圧される、風防３２側に突出する突状に構成されてもよい、端面３７ｄが端面３１ｅ１に押圧されることで第２シール部材３７が変形し、結果、外郭ケース３１及び基部３３間の密閉性が向上する。
【０１８３】
即ち、本発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。
【符号の説明】
【０１８４】
１…血圧測定装置
３…装置本体
４…ベルト
５…カーラ
５ａ…カバー部
５ｂ…逃げ部
５ｃ…窪み
５ｄ…インサート部材
５ｅ…螺子孔
５ｆ…孔部
５ｆ１…第１孔部
５ｆ２…第２孔部
５ｆ３…第３孔部
６…カフ構造体
７…流体回路
７ａ…第１流路
７ｂ…第２流路
７ｃ…第３流路
７ｄ…第４流路
８…給電部
８ａ…配線部
８ｂ…給電端子
８ｃ…カバー
１１…ケース
１２…表示部
１３…操作部
１４…ポンプ
１５…流路部
１６…開閉弁
１６Ａ…第１開閉弁
１６Ｂ…第２開閉弁
１６Ｃ…第３開閉弁
１６Ｄ…第４開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３１ｃ…螺子孔
３１ｅ…シール溝
３１ｅ１…端面
３１ｅ２…内周面
３２…風防
３３…基部
３３ｂ…第１凸部
３３ｄ…第２凸部
３５…裏カバー
３５ａ…第１締結部材
３５ｂ…第２締結部材
３５ｃ…孔部
３５ｄ…孔部
３６…第１シール部材
３７…第２シール部材
４１…釦
４２…センサ
４３…タッチパネル
５１…基板
５２…加速度センサ
５３…通信部
５４…記憶部
５５…制御部
５６…メインＣＰＵ（Ｃｅｎｔｒａｌ  Ｐｒｏｃｅｓｓｉｎｇ  Ｕｎｉｔ）
５７…サブＣＰＵ
６１…第１ベルト
６１ａ…ベルト部
６１ｂ…尾錠
６１ｃ…第１孔部
６１ｄ…第２孔部
６１ｅ…枠状体
６１ｆ…つく棒
６２…第２ベルト
６２ａ…小孔
６２ｂ…第３孔部
７１…押圧カフ（カフ）
７２…背板
７２ａ…溝
７３…センシングカフ（カフ）
７４…引張カフ（カフ）
７５…接合層
８１…袋状構造体（空気袋）
８１ａ…溶着部
８１ｂ…溶着部（接合部）
８２…被接合部
８３…流路体（第１流路体）
８３ａ…溶着部
８４…接続部（第１接続部）
８６…シート部材
８６ａ…第１シート部材（シート部材）
８６ａ…第１シート部材
８６ｂ…第２シート部材（シート部材）
８６ｂ…第２シート部材
８６ｂ１…開口
８６ｃ…第３シート部材
８６ｃ１…開口
８６ｄ…第４シート部材
８６ｄ１…孔部
９１…袋状構造体（空気袋）
９１ａ…溶着部
９１ｂ…接合代
９２…流路体（第２流路体）
９２ａ…溶着部
９３…接続部
９６…シート部材
９６ａ…第５シート部材
９６ｂ…第６シート部材
９６ｂ１…孔部
１０１…袋状構造体（空気袋）
１０１ａ…溶着部
１０１ｂ…溶着部（接合部）
１０１ｂ…溶着部
１０２…被接合部
１０２ａ…逃げ部
１０３…接続部（第３接続部）
１０６…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ１…開口
１０６ｌ…第１８シート部材
１０６ｌ１…孔部
２００…手首
２１０…動脈
【図１】
2020103646.tif 000003
【図２】
2020103646.tif 000004
【図３】
2020103646.tif 000005
【図４】
2020103646.tif 000006
【図５】
2020103646.tif 000007
【図６】
2020103646.tif 000008
【図７】
2020103646.tif 000009
【図８】
2020103646.tif 000010
【図９】
2020103646.tif 000011
【図１０】
2020103646.tif 000012
【図１１】
2020103646.tif 000013
【図１２】
2020103646.tif 000014
【図１３】
2020103646.tif 000015
【図１４】
2020103646.tif 000016
【図１５】
2020103646.tif 000017
【図１６】
2020103646.tif 000018
【図１７】
2020103646.tif 000019
【図１８】
2020103646.tif 000020
【図１９】
2020103646.tif 000021
【図２０】
2020103646.tif 000022
【図２１】
2020103646.tif 000023
【図２２】
2020103646.tif 000024
【図２３】
2020103646.tif 000025
【図２４】
2020103646.tif 000026
【図２５】
2020103646.tif 000027
【図２６】
2020103646.tif 000028
【図２７】
2020103646.tif 000029
【図２８】
2020103646.tif 000030
【図２９】
2020103646.tif 000031
【図３０】
2020103646.tif 000032
【図３１】
2020103646.tif 000033
【図３２】
2020103646.tif 000034